(57)【要約】【課題】本発明は、留具に関する。【解決手段】  本実施形態の留具ＢＫは、雄部材１と雌部材２とを備えている。雄部材１は、他の部材が取り付けられる長方形状の雄本体１０と、雄本体の長辺に連接する板状の被挟持板２０と、被挟持板に形成される係合部３０とを有している。雌部材２は、他の部材が取り付けられる長方形状の雌本体５０と、雌本体の長辺に連接し、被挟持板を挟む弾性変形可能な部材で形成された一対の挟持板６０と、挟持板に形成され、係合部に係合する被係合部７０とを有している。挟持板６０の長手方向に形成され、被挟持板２０を導入する導入部８０とを有している。導入部８０は、被挟持板２０を挟持する挟持板６０と直交する方向側ではなく、長手方向の側面に形成されることで、雄部材１と雌部材２の着脱を容易にできる。【選択図】図１
2020141791.tif 000002
【特許請求の範囲】
【請求項１】
雄部材（１）と雌部材（２）とを備えた留具であって、
前記雄部材（１）は、
他の部材が取り付けられる長方形状の雄本体（１０）と、
前記雄本体の長辺に連接する板状の被挟持板（２０）と、
前記被挟持板に形成される係合部（３０）とを有し、
前記雌部材（２）は、
他の部材が取り付けられる長方形状の雌本体（５０）と、
前記雌本体の長辺に連接し、前記被挟持板を挟む弾性変形可能な部材で形成された一対の挟持板（６０）と、
前記挟持板に形成され、前記係合部に係合する被係合部（７０）と、
前記挟持板（６０）の長手方向に、前記被挟持板（２０）を導入する導入部（８０）と
を有することを特徴とする留具。
【請求項２】
請求項１に記載された留具であって、
前記雄部材（１）には、前記被挟持板より厚い厚肉部（２１）が形成され、
前記雌部材（２）には、前記厚肉部（２１）の形状にあわせた形状を有する幅広部（６２）が形成されている
ことを特徴とする留具。
【請求項３】
請求項２に記載された留具であって、
前記挟持板の長手方向の長さは、前記被挟持板の長手方向の長さと比較して短く形成されている
ことを特徴とする留具。
【請求項４】
請求項１から３のいずれか１項に記載された留具であって、
前記挟持板は、開放端側に向けて幅が狭く形成される
ことを特徴とする留具。
【請求項５】
請求項１から４のいずれか１項に記載された留具であって、
前記係合部は、前記被挟持板に突出するように形成され、
前記被係合部は、前記挟持板を貫通するように形成される
ことを特徴とする留具。
【請求項６】
請求項１から５のいずれか１項に記載された留具であって、
前記雄部材及び／又は前記雌部材は、面取りが施されている
ことを特徴とする留具。
【請求項７】
請求項１から６のいずれか１項に記載された留具であって、
前記雄部材及び／又は前記雌部材は、円弧状に形成されている
ことを特徴とする留具。
【発明の詳細な説明】
【技術分野】
【０００１】
本発明は、留具に関する。さらに詳しく説明すると、本発明は、着脱が容易な留具に関する。
【背景技術】
【０００２】
例えば、ベルト等の一端につけ、他端をはめ入れて締める道具としてバックル等の留具がある。例えば、バックルは、ズボンのベルトや腕時計のベルトに使用され、ズボンやベルトが落ちないようにするために使用される。バックルには、金属で製造されたものや合成樹脂で製造されたものがあるが、着脱に手間がかかり煩わしい。
【０００３】
このような問題に対処するために、ベルト長さの調節及びベルトの挟着と解除を片手で容易に行うことができるバックルの技術が知られている（例えば、特許文献１参照）。また、雌部材と雄部材とを係合させた状態において、雌部材を雄部材の長さ方向に沿って所望の位置までスライド移動させるバックルの技術が知られている（例えば、特許文献２参照）。
【０００４】
しかし、特許文献１に示されたバックルは、部品点数が多く構造が複雑で製造に手間がかかるという問題点がある。また、特許文献２に示されたバックルは、雄部材が長く着脱が難しいという問題点がある。
【先行技術文献】
【特許文献】
【０００５】
【特許文献１】特開２０００−２７９２０８号公報
【特許文献２】特開２０１５−７０９９３号公報
【発明の概要】
【発明が解決しようとする課題】
【０００６】
本発明は、このような社会的、技術的背景に基づいたものであり、次のような目的を達成する。本発明の目的は、着脱が容易な留具を提供することにある。
【課題を解決するための手段】
【０００７】
本発明は、前記目的を達成するために次の手段をとる。
（１）本発明１の留具は、雄部材（１）と雌部材（２）とを備えた留具であって、前記雄部材（１）は、他の部材が取り付けられる長方形状の雄本体（１０）と、前記雄本体の長辺に連接する板状の被挟持板（２０）と、前記被挟持板に形成される係合部（３０）とを有し、前記雌部材（２）は、他の部材が取り付けられる長方形状の雌本体（５０）と、前記雌本体の長辺に連接し、前記被挟持板を挟む弾性変形可能な部材で形成された一対の挟持板（６０）と、前記挟持板に形成され、前記係合部に係合する被係合部（７０）と、前記挟持板（６０）の長手方向に、前記被挟持板（２０）を導入する導入部（８０）とを有することを特徴とする。
（２）本発明２の留具は、本発明１であって、前記雄部材（１）には、前記被挟持板より厚い厚肉部（２１）が形成され、前記雌部材（２）には、前記厚肉部（２１）の形状にあわせた形状を有する幅広部（６２）が形成されていることを特徴とする。
（３）本発明３の留具は、本発明２であって、前記挟持板の長手方向の長さは、前記被挟持板の長手方向の長さと比較して短く形成されていることを特徴とする。
（４）本発明４の留具は、本発明１から３のいずれかであって、前記挟持板は、開放端側に向けて幅が狭く形成されることを特徴とする。
（５）本発明５の留具は、本発明１から４のいずれかであって、前記係合部は、前記被挟持板に突出するように形成され、前記被係合部は、前記挟持板を貫通するように形成されることを特徴とする。
（６）本発明６の留具は、本発明１から５のいずれかであって、前記雄部材及び／又は前記雌部材は、面取りが施されていることを特徴とする。
（７）本発明７の留具は、本発明１から６のいずれかであって、前記雄部材及び／又は前記雌部材は、円弧状に形成されていることを特徴とする。
【発明の効果】
【０００８】
以上説明したように、本発明の留具は、挟持板の長手方向に被挟持板を導入する導入部が形成されているので、着脱が容易である。
【図面の簡単な説明】
【０００９】
【図１】図１は、第一実施形態の留具ＢＫを示す外観図である。
【図２】図２は、雄部材１を示す構成図である。
【図３】図３は、雌部材２を示す構成図である。
【図４】図４は、雄部材１及び雌部材２を組み合わせた状態を示す構成図である。
【００１０】
【図５】図５は、雄部材１及び雌部材２を取り付ける順番を示す図である。
【図６】図６は、雄部材１及び雌部材２を取り付ける状態を示す図である。
【図７】図７は、雄部材１及び雌部材２を取り外す順番を示す図である。
【図８】図８は、雄部材１及び雌部材２を取り外す状態を示す図である。
【図９】図９は、第二実施形態の留具ＢＫ２の雄部材１０１と雌部材１０２を示す断面図である。
【発明を実施するための形態】
【００１１】
（１）実施形態の概要
本実施形態の留具ＢＫは、雄部材１と雌部材２とを備えている。雄部材１は、他の部材が取り付けられる長方形状の雄本体１０と、雄本体の長辺に連接する板状の被挟持板２０と、被挟持板に形成される係合部３０とを有している。雌部材２は、他の部材が取り付けられる長方形状の雌本体５０と、雌本体の長辺に連接し、被挟持板を挟む弾性変形可能な部材で形成された一対の挟持板６０と、挟持板に形成され、係合部に係合する被係合部７０とを有している。雌部材２は、被挟持板２０を導入する導入部８０を、挟持板６０の長手方向に有している。
【００１２】
導入部８０は、被挟持板２０を挟持する挟持板６０と直交する方向側ではなく、長手方向の側面に形成されることで、雄部材１と雌部材２の着脱を容易にできる。留具ＢＫを使用する場合、まず挟持板６０の側方にある導入部８０に被挟持板２０を押し込んで、挟持板６０の長手方向に沿って被挟持板２０を挿入する。挟持板６０と被挟持板２０とをスライド移動させることで、被係合部７０と係合部３０とが係合した係合状態になる。また、係合状態で、挟持板６０と被挟持板２０とをスライド移動させることで、被係合部７０と係合部３０と係合状態が解除された被係合状態になる。留具ＢＫは、挟持板６０と被挟持板２０とをスライド移動させるだけで、被係合部７０と係合部３０との係合状態と被係合状態を切り替えることができ、簡単な操作で着脱が容易にできる。
【００１３】
（２）実施形態の詳細
〔第一実施形態〕
第一実施形態を図面に基づいて詳細に説明する。図１は、第一実施形態の留具ＢＫを示す正面、底面及び左側面を示す組立外観図（ａ）、背面、平面及び左側面を示す組立外観図（ｂ）である。図２は、雄部材１を示す正面図（ａ）、背面図（ｂ）、右側面図（ｃ）、平面図（ｄ）、底面図（ｅ）、正面、底面及び左側面を示す外観図（ｆ）、背面、平面及び左側面を示す外観図（ｇ）、断面図（ｈ）である。図３は、雌部材２を示す正面図（ａ）、背面図（ｂ）、右側面図（ｃ）、平面図（ｄ）、底面図（ｅ）、正面、底面及び左側面を示す外観図（ｆ）、背面、平面及び左側面を示す外観図（ｇ）、断面図（ｈ）である。図４は、留具ＢＫを示す正面図（ａ）、背面図（ｂ）、右側面図（ｃ）、平面図（ｄ）、底面図（ｅ）である。
【００１４】
図１に示すように、矢印Ｕ方向を「上方向」とし、その逆方向である矢印Ｄ方向を「下方向」として説明を行う。水平面内で上下方向と直交する一の方向である矢印Ｌ方向を「左方向」とし、直交する他の方向である矢印Ｒ方向を「右方向」として説明を行う。上下方向及び左右方向と直交する方向である矢印Ｆ方向を「前方向」とし、方向である矢印Ｂ方向を「後方向」として説明を行う。
【００１５】
〔留具ＢＫ〕
第一実施形態における留具ＢＫは、腕時計に取り付けられるバックルであり、腕時計が腕から落ちないようにするための部材である。留具ＢＫは、図１に示すように雄部材１と雌部材２とを備えている。留具ＢＫは、例えば、腕時計や腕時計のベルトである帯状部材に取り付けるものであり、雄部材１及び雌部材２とから構成されている。図１（ａ）及び（ｂ）に示すように、留具ＢＫは、雄部材１と雌部材２とは、組み合わせられたときに、腕の形状に合うように、円弧又は放物線を描くように曲げられた曲面形状に形成されている。
【００１６】
〔雄部材１〕
雄部材１は、雌部材２に挟まれて組み合わせられることで、腕時計が腕から落ちないようにするための留具ＢＫの一部を構成する部材である。雄部材１は、雄部材１が雌部材２に挟まれた状態で、雌部材２の長手方向にスライド移動できる。雄部材１は、雄本体１０、被挟持板２０及び係合部３０とが一体に形成されている。雄部材１は、図２（ａ）に示すように、左右が内側に凹んだ略角丸四角形の板状に形成されている。雄部材１は、図２（ｃ）に示すように、円弧状に形成され、上方向側に肉厚が薄い被挟持板２０が形成され、下方向側に被挟持板２０と比較して肉厚が厚い雄本体１０が形成されている。雄部材１は、硬質なポリアセタール樹脂で形成されている。雄部材１は、硬質な部材であれば、他の部材でも良く、例えばＡＢＳ、ポリカーボネート、ポリプロピレン、ナイロン、ポリエチレン、ポリウレタン及びシリコン等のその他の合成樹脂であっても良い。
【００１７】
〔雄本体１０〕
雄本体１０は、ベルトを取り付けるための部位であり、図２（ａ）に示すように、短辺と長辺を有する長方形状に形成されている。雄本体１０は、図２（ｃ）に示すように、円弧状に形成され、被挟持板２０と比較して肉厚が厚く形成されている。
【００１８】
〔ベルト取付部１１〕
雄本体１０には、ベルト取付部１１、第一長孔１１ａ、第二長孔１１ｂ、指当部１２とが形成されている。第一長孔１１ａと第二長孔１１ｂは、ベルトを通すことができる貫通孔であり、雄本体１０の正面から背面にかけて貫通する角丸形状に形成されている。雄本体１０は、図２（ａ）に示すように、第一長孔１１ａと第二長孔１１ｂとが上下に並べられて形成され、その間にベルトを巻き付けるベルト取付部１１が形成される。
【００１９】
〔指当部１２〕
指当部１２は、使用者の指を当てる部位であり、雄本体１０の長手方向の両端側（図１（ａ）の左右側）の端部に形成されている。指当部１２は、角を角面や丸面等に面取りして、指先が引っ掛かるように突起や凹凸が形成されている。指当部１２は、面取りがされ突起や凹凸が形成されているので、指が滑らずに雄本体１０を押す動作が容易になる。なお、指当部１２を、雄本体１０の内側に凹む円弧形状に湾曲するように形成することで、指が滑らずに雄本体１０を押せるようにしても良い。
【００２０】
〔被挟持板２０〕
被挟持板２０は、挟持板６０に挟まれる板状の部位である。被挟持板２０には、厚肉部２１、指当部２２及び係合部３０とが形成されている。被挟持板２０は、図２（ａ）に示すように、上底が長く下底が短い左右対称の台形形状に形成されている。このため、被挟持板２０は、上底側の両端が鋭角であり、下底側の両端が鈍角に形成されている。被挟持板２０の上底は、挟持板６０の底辺よりも長く形成されている。被挟持板２０は、図２（ｃ）に示すように、円弧状に形成され、雄本体１０と比較して肉厚が薄く形成されている。被挟持板２０は、雄本体１０の長辺側から延設されるように、雄本体１０と一体に形成されている。被挟持板２０は、図４（ｃ）に示すように、一対の挟持板６０の隙間６１にあう形状に形成されている。
【００２１】
被挟持板２０は、角を角面や丸面等に面取りされている。被挟持板２０は、面取りがされているので、被挟持板２０を隙間６１に挿入する作業が容易になる。図２（ｈ）及び図６（ｈ）に示すように、被挟持板２０の肉厚２０ｗは、一対の挟持板６０の間の隙間寸法６１ｗと同一又は略同一に形成されている。なお、肉厚２０ｗを、一対の挟持板６０の間の隙間寸法６１ｗよりやや厚く形成することで、挟持板６０が被挟持板２０をしっかり挟めるようにしても良い。被挟持板２０は、図２（ｈ）に示すように、高さ寸法がｈ１になるように形成されている。被挟持板２０の高さ寸法ｈ１は、挟持板６０の高さ寸法ｈ３と同一又は略同一になるように形成されている。
【００２２】
〔厚肉部２１〕
厚肉部２１は、幅広部６２に導入する部位である。厚肉部２１は、図２（ａ）に示すように、被挟持板２０の上方向側から延設されるように、被挟持板２０と一体に形成されている。厚肉部２１の肉厚２１ｗは、図２（ｈ）に示すように、被挟持板２０の肉厚２０ｗと比較して厚く形成されている。厚肉部２１の肉厚２１ｗは、図３（ｈ）に示すように、隙間６１の隙間寸法６１ｗと比較して厚く形成されている。厚肉部２１は、図２（ａ）に示すように、被挟持板２０の上方向側端部において、左右に伸びる棒状に形成されている。厚肉部２１は、上底側の両端が鋭角な被挟持板２０を上方向側に延設して形成されているので、厚肉部２１の両端は鋭角に形成されている。
【００２３】
厚肉部２１は、図４（ｃ）に示すように、幅広部６２にあう略半円弧形状に形成されている。肉厚２１ｗは、一対の挟持板６０に形成されている幅広部６２の間の幅広寸法６２ｗと同一又は略同一に形成されている。なお、肉厚２１ｗを、幅広寸法６２ｗよりやや厚く形成することで、挟持板６０が被挟持板２０をしっかり挟めるようにしても良い。厚肉部２１の両端は、図２（ａ）に示すように、鋭角に形成されているので、厚肉部２１を幅広部６２に挿入する作業が容易になる。厚肉部２１は、角を角面や丸面等に面取りされている。厚肉部２１は、面取りがされているので、厚肉部２１を幅広部６２に挿入する作業が容易になる。
【００２４】
〔指当部２２〕
指当部２２は、使用者の指を当てる部位であり、被挟持板２０の長手方向の両端側（図１（ａ）の左右側）の端部に形成されている。指当部２２は、角を角面や丸面等に面取りして、指先が引っ掛かるように突起や凹凸が形成されている。指当部２２は、面取りがされ突起や凹凸が形成されているので、指が滑らずに被挟持板２０を押す動作が容易になる。なお、指当部２２は、被挟持板２０の内側に凹む円弧形状に湾曲するように形成されているで、指が滑らずに被挟持板２０を押せる。
【００２５】
〔係合部３０〕
係合部３０は、被係合部７０に係合する部位である。係合部３０は、図２（ａ）及び図２（ｂ）に示すように、被挟持板２０の略中央に形成されている。係合部３０は、図２（ａ）及び図２（ｃ）に示すように、被挟持板２０から突出するように形成された円筒形状の突起であり、縁を角面や丸面等に面取りされている。係合部３０は、縁が面取りがされていることで、係合部３０と被係合部７０との係合状態と被係合状態との切替を容易にできる。係合部３０は、挟持板６０の肉厚と同一又はやや薄い肉厚になるように被挟持板２０から突出している。係合部３０は、被係合部７０の直径と同一又はやや小さい直径の円形形状になるように形成されている。このため、係合部３０は、係合状態のときに被係合部７０に収納される。
【００２６】
係合部３０は、図２（ｃ）に示すように、被挟持板２０の正面と背面に一つずつ形成されており、係合部３０のそれぞれの中心が同一の軸線上に位置するように配置されている。係合部３０は、図２（ｈ）に示すように、係合部３０の中心から厚肉部２１の下方先端までの係合中心距離がｈ２になるように、被挟持板２０に配置されている。係合中心距離ｈ２は、被係合中心距離ｈ４と同一又は略同一になるように形成されている。
【００２７】
〔雌部材２〕
雌部材２は、雄部材１を挟んで組み合わせられることで、腕時計が腕から落ちないようにするための留具ＢＫの一部を構成する部材である。雌部材２は、雌部材２が雄部材１を挟んだ状態で、雄部材１の長手方向にスライド移動できる。雌部材２は、雌本体５０、挟持板６０、被係合部７０及び導入部８０とから構成されている。雌部材２は、硬質でありながら若干の弾性変形が可能なポリアセタール樹脂で形成されている。雌部材２は、図３（ａ）に示すように、上方向側から下方向側に向けて徐々に窄まり、下端が円弧状であり底辺が長く高さが短い略二等辺三角形に形成されている。雌部材２は、図３（ｃ）に示すように、円弧形状に形成され、上方向側に肉厚が厚い雌本体５０が形成され、下方向側に雌本体５０と比較して肉厚が薄い一対の挟持板６０が形成されている。雌部材２は、硬質でありながら若干の弾性変形が可能な部材であれば、他の部材でも良く、例えばＡＢＳ、ポリカーボネート、ポリプロピレン、ナイロン、ポリエチレン、ポリウレタン及びシリコン等のその他の合成樹脂であっても良い。
【００２８】
〔雌本体５０〕
雌本体５０は、時計のバネ棒を取り付けるための部位であり、図３（ａ）又は図３（ｂ）に示すように、短辺と長辺を有する長方形状に形成されている。雌本体５０は、図３（ｃ）に示すように、円弧状に形成され、挟持板６０と比較して肉厚が厚く形成されている。
【００２９】
〔バネ棒取付部５１〕
雌本体５０には、バネ棒取付部５１が形成されている。バネ棒取付部５１は、バネ棒を通すことができる貫通孔であり、雄本体１０の右側面から左側面にかけて貫通する円形形状に形成されている。雌本体５０は、図３（ｂ）に示すように、左右両端に第一切欠５１ａと第二切欠５１ｂとが形成されている。第一切欠５１ａと第二切欠５１ｂとは、バネ棒の着脱をするために形成された部位であり、図３（ｃ）に示すように、背面側を切り欠くように形成されている。
【００３０】
〔指当部５２〕
指当部５２は、使用者の指を当てる部位であり、雌本体５０の長手方向の両端側（図１（ａ）の左右側）の端部に形成されている。指当部５２は、角を角面や丸面等に面取りして、指先が引っ掛かるように突起や凹凸が形成されている。指当部５２は、面取りがされ突起や凹凸が形成されているので、指が滑らずに雌本体５０を押す動作が容易になる。なお、指当部５２を、雌本体５０の内側に凹む円弧形状に湾曲するように形成することで、指が滑らずに雌本体５０を押せるようにしても良い。
【００３１】
〔挟持板６０〕
挟持板６０は、被挟持板２０を挟む一対の板状の部位である。一対の挟持板６０は、所定以上の力を加えることで、弾性変形して前側と後側に広げられる。挟持板６０には、隙間６１、幅広部６２、傾斜面６３、挟持端部６４、被係合部７０、導入部８０とが形成されている。挟持板６０は、図３（ａ）に示すように、雌本体５０側からその反対側の開放端６０ｈ側に向けて徐々に窄まり、下端が円弧状であり底辺が長く高さが短い略二等辺三角形に形成されている。
【００３２】
挟持板６０は、図３（ｃ）に示すように、円弧状に形成され、雌本体５０と比較して肉厚が薄く形成されている。挟持板６０は、雌本体５０の長辺側から延設されるように、雌本体５０と一体に形成されている。一対の挟持板６０は、図４（ｃ）に示すように、被挟持板２０の形状にあうように隙間６１が区画されている。挟持板６０は、図３（ｈ）に示すように、高さ寸法がｈ３になるように形成されている。挟持板６０の高さ寸法ｈ３は、被挟持板２０の高さ寸法ｈ１と同一又は略同一になるように形成されている。
【００３３】
〔隙間６１〕
隙間６１は、被挟持板を挿通させる部位である。図３（ｈ）に示すように、一対の挟持板６０を略平行に配置することで、隙間６１の隙間寸法６１ｗは、幅広部６２側からその反対側の開放端６０ｈ側の方向にかけて略同一である。隙間寸法６１ｗは、被挟持板２０の肉厚２０ｗと同一又は略同一に形成されている。隙間寸法６１ｗは、一対の挟持板６０を弾性変形させて前側と後側に広げられても、厚肉部２１の肉厚２１ｗ以上には拡がらないように形成されている。なお、隙間寸法６１ｗを、肉厚２０ｗよりやや薄くなるように挟持板６０を配置することで、挟持板６０が被挟持板２０をしっかり挟めるようにしても良い。
【００３４】
〔幅広部６２〕
幅広部６２は、厚肉部２１が導入される部位であり、図２（ａ）に示すように、挟持板６０に形成されている。幅広部６２は、図３（ｈ）に示すように、挟持板６０と雌本体５０との間に区画され、一対の挟持板６０の間の隙間寸法６１ｗと比較して幅広部６２の幅広寸法６２ｗが広く形成されている。幅広部６２は、図４（ｃ）に示すように、厚肉部２１にあう略半円弧形状に形成されている。幅広寸法６２ｗは、厚肉部２１の肉厚２１ｗと同一又は略同一に形成されている。なお、幅広寸法６２ｗを、肉厚２１ｗよりやや薄く形成することで、挟持板６０が被挟持板２０をしっかり挟めるようにしても良い。
【００３５】
〔傾斜面６３〕
傾斜面６３は、雄部材１を導入するための導入部８０が形成される部位である。傾斜面６３は、挟持板６０の長手方向の両端側（図１（ａ）の左右側）の端面である。傾斜面６３は、挟持板６０が雌本体５０側からその反対側の開放端６０ｈ側に向けて徐々に窄まり、下端が円弧状であり底辺が長く高さが短い略二等辺三角形に形成されているので、挟持板６０の長手方向に対して鋭角となる位置に配置される面である。傾斜面６３は、角を角面や丸面等に面取りして、指先が引っ掛かるように突起や凹凸が形成されている。傾斜面６３は、面取りがされ突起や凹凸が形成されているので、指が滑らずに挟持板６０を押す動作が容易になる。なお、傾斜面６３を、挟持板６０の内側に凹む円弧形状に湾曲するように形成することで、指が滑らずに雌本体５０を押せるようにしても良い。
【００３６】
〔挟持端部６４〕
挟持端部６４は、被挟持板２０を挟む挟持板６０の端部である。挟持端部６４は、挟持板６０の下方向側の端部であり、円弧形状に形成されている。挟持端部６４は、図３（ａ）及び図３（ｂ）に示すように、被係合部７０と同心の円弧形状に形成されている。一対の挟持板６０は、幅広部６２側からその反対側の開放端６０ｈ側の方向に向けて徐々に接近させて、開放端６０ｈ側の挟持端部６４で互いに当接しても良い。なお、一対の挟持板６０は、弾性変形した状態で挟持端部６４が当接するように形成することで、当接状態において挟持端部６４同士が互いに押し合うようにしてもよい。これにより、より強い挟持力で挟持板６０が被挟持板２０を挟持することができる。
【００３７】
〔被係合部７０〕
被係合部７０は、係合部３０に係合される部位である。被係合部７０は、図３（ａ）及び図３（ｂ）に示すように、一対の挟持板６０の挟持端部６４と同心の円形形状に形成されている。被係合部７０を挟持板６０に形成することで、導入部８０から押し込んだ雄部材１に対する、挟持板６０の雄部材１への挟み込もうとする圧力を弱めることができる。被係合部７０は、図３（ａ）及び図３（ｃ）に示すように、挟持板６０の正面から背面にかけて貫通するように形成された貫通孔であり、縁を角面や丸面等に面取りされている。被係合部７０は、縁が面取りがされていることで、被係合部７０と係合部３０との係合状態と被係合状態との切替を容易にできる。被係合部７０は、係合部３０の直径と同一又はやや大きい直径の円形形状になるように形成されている。
【００３８】
被係合部７０は、図３（ｈ）に示すように、一対の挟持板６０のそれぞれに一つずつ形成されており、一対の被係合部７０のそれぞれの中心が同一の軸線上に位置するように配置されている。被係合部７０は、図３（ｈ）に示すように、被係合部７０の中心から幅広部６２の下方先端までの被係合中心距離がｈ４になるように、挟持板６０に配置されている。被係合中心距離ｈ４は、係合中心距離ｈ２と同一又は略同一になるように形成されている。
【００３９】
〔導入部８０〕
導入部８０は、雄部材１を雌部材２の長手方向の側方から導入するための部位である。導入部８０は、図３（ａ）に示すように、挟持板６０の傾斜面６３に配置され、隙間６１と幅広部６２とから形成されている。すなわち、導入部８０は、雄部材１が雌部材２でスライド移動する長手方向に対して傾斜するように形成されている。このように、導入部８０は、傾斜するように形成されていることで、隙間６１と幅広部６２への導入部分が広く形成され、雌部材２が雄部材１に導入しやすくなる。
【００４０】
傾斜面６３は、導入部８０となる隙間６１と幅広部６２との角を、角面や丸面等に面取りされている。導入部８０は、面取りがされているので、雄部材１を雌部材２の導入部８０に挿入する作業が容易になる。導入部８０は、面取りがされているので、雄部材１と雌部材２とを着脱する際に、お互いを傷めることなく挿入と挟持をすることができる。
【００４１】
〔留具ＢＫの製造方法〕
次に、留具ＢＫの製造方法について説明する。雄部材１及び雌部材２は、材料としてポリアセタール樹脂を使用して通常の射出成形により形成する。雄部材１は、射出成形により雄本体１０、被挟持板２０及び係合部３０が一体に形成される。雌部材２は、射出成形により雌本体５０及び挟持板６０が一体に形成される。雄部材１は、図２（ａ）に示すように板状に形成され、図２（ｃ）に示すように、円弧状に形成され比較的単純な形状が組み合わされて一体に形成されている。雌部材２は、図３（ａ）に示すように略二等辺三角形に形成され、図３（ｃ）に示すように、円弧状に形成され比較的単純な形状が組み合わされて一体に形成されている。このように、雄部材１及び雌部材２は、比較的単純な形状で一体に形成されているため、壊れにくい上に製造コストを抑えることができる。
【００４２】
〔留具ＢＫの取り付け方法〕
次に、以上のように構成された留具ＢＫを取り付ける動作について説明する。なお、本例において、留具ＢＫは、腕時計のバックルとして使用しているものであり、図示していないが、雄部材１の雄本体１０にベルトが取り付けられ、雌部材２の雌本体５０にバネ棒を通じて時計が取り付けられた状態として説明をする。図５は、留具ＢＫを取り付ける順番を示す図である。図６は、留具ＢＫを取り付ける状態を示す図である。
【００４３】
図５（ａ）に示すように、分離された分離状態の雄部材１及び雌部材２を用意する。まず、雄部材１と雌部材２とを摘まみ、指当部２２を導入部８０に対向させる。この際、被挟持板２０を隙間６１に対向させ、厚肉部２１を幅広部６２に対向させる。次に、図５（ｂ）に示すように、雄部材１を雌部材２の導入部８０に導入する（押し込む）。この際、被挟持板２０、厚肉部２１、隙間６１及び幅広部６２は、面取りがされているので、雄部材１は雌部材２の導入部８０に導入し易い。また、厚肉部２１の両端は、鋭角に形成されているので、幅広部６２へ導入し易い。
【００４４】
雄部材１を雌部材２の導入部８０に導入する際、雄部材１は、雌部材２の長手方向にスライド移動しながら、一対の挟持板６０を弾性変形させて前側と後側に広げる。この際、挟持板６０には被係合部７０の形成により雄部材１に対する圧力が弱められているので、容易に挟持板６０を広げることができる。この状態で、雄部材１を雌部材２に押し込むことで、図５（ｃ）に示すように、雄部材１を係合部３０の手前まで移動した仮止状態となる。なお、厚肉部２１の肉厚２１ｗと幅広部６２の間の幅広寸法６２ｗとは、同一又は略同一に形成されているため、がたつきがなく円滑にスライド移動する。挟持端部６４は、円弧形状に形成されていることで、被挟持板２０と雄本体１０との境界部分において、雄本体１０に引っかかることなく、円滑にスライド移動することができる。
【００４５】
図５（ｃ）に示すように、被挟持板２０は上底が長く下底が短い左右対称の台形形状であり、挟持板６０は下方向側に窄まり下端が円弧状である略二等辺三角形に形成されているため、一対の挟持板６０のほとんどの部分が被挟持板２０を挟んでいる状態になる。このため、仮止状態の雄部材１と雌部材２とは、一対の挟持板６０が被挟持板２０をしっかり挟んでおり、外れにくい状態になっている。本例の場合、雄部材１と雌部材２とを仮止状態にすることで、雄部材１に取り付けられたベルトが腕に巻き付いた状態で、雌部材２に取り付けられた時計に取り付けられた状態になり、腕時計が腕から落ちない。
【００４６】
厚肉部２１は、隙間６１の隙間寸法６１ｗと比較して厚肉部２１の肉厚２１ｗが厚く形成されている（図２（ｈ）、図３（ｈ）及び図４（ｃ）参照）。また、一対の挟持板６０を弾性変形させて前側と後側に広げられても、隙間６１の隙間寸法６１ｗは、厚肉部２１の肉厚２１ｗ以上には広がらない。このため、仮止状態の雄部材１と雌部材２とは、上下に引っ張っても厚肉部２１が隙間６１から抜けることがなく、外れにくい状態になっている。
【００４７】
使用者は、仮止状態にした雄部材１と雌部材２を、片手で操作するだけで、係合部３０と被係合部７０とを仮止状態から係合状態にすることができる。使用者は、仮止状態にした雄部材１と雌部材２を、図６に示すように持ち変える。つまり、使用者は、人差し指で雄部材１を抑え、親指で雌部材２を抑え、雄部材１と雌部材２を互いに押し合うように持ち変える。使用者は、親指で雌部材２を雄部材１に押し込む動作のみで、係合部３０と被係合部７０とを係合状態にすることができる。指当部１２、指当部２２及び指当部５２は、角を角面や丸面等に面取りして、指先が引っ掛かるように突起や凹凸が形成されている。このため、使用者は、指を滑らすことなく雌部材２を雄部材１に押し込む動作ができる。
【００４８】
仮止状態から所定以上の力で雄部材１を雌部材２に押し込むことで、一対の挟持板６０は前側と後側にさらに広がり、図５（ｄ）に示すように、一対の挟持板６０が係合部３０に重なった状態になる。係合部３０は、縁を角面や丸面等に面取りされているため、一対の挟持板６０は係合部３０に容易に重ねられる。この状態で、雄部材１を雌部材２に押し込むことで、係合部３０と被係合部７０とが係合状態となり、図５（ｅ）に示すように、雄部材１と雌部材２とが結合状態となる。
【００４９】
被挟持板２０の高さ寸法ｈ１と挟持板６０の高さ寸法ｈ３とは、同一又は略同一になるように形成されているため、雄部材１と雌部材２とのスライド移動の際に、がたつきがなく円滑である。係合中心距離ｈ２と被係合中心距離ｈ４と同一又は略同一になるように形成されているため、雄部材１を雌部材２にスライド移動するだけで、係合部３０が被係合部７０に案内される。
【００５０】
雄部材１と雌部材２とは結合状態になると、一対の挟持板６０が被挟持板２０を挟み込んだ状態で、正面側と背面側で係合部３０と被係合部７０とが係合する。正面側と背面側の両面で、係合部３０と被係合部７０とが同一軸線上で係合状態となり、雄部材１と雌部材２とはしっかりと結合された結合状態となる。結合状態になると、係合部３０は被係合部７０に収納されるため、挟持板６０の全体が被挟持板２０を挟み込んだ挟持状態となる。係合状態の雄部材１と雌部材２とは、上下に引っ張っても厚肉部２１が隙間６１から抜けることがなく、しっかりと結合された結合状態となる。結合状態において、被挟持板２０の上底は挟持板６０の底辺よりも長く形成されているため、挟持板６０の両端から、被挟持板２０の両端と厚肉部２１の両端がはみ出した状態になっている。
【００５１】
〔留具ＢＫの取り外し方法〕
次に、以上のように構成された留具ＢＫを取り外す動作について説明する。図７は、留具ＢＫを取り外す順番を示す図である。図７は、留具ＢＫを取り外す状態を示す図である。図７（ａ）に示すように、結合された結合状態の雄部材１及び雌部材２を用意する。使用者は、結合状態にされた雄部材１と雌部材２を、図８に示すように持つ。つまり、使用者は、人差し指で雌部材２を抑え、親指で雄部材１を抑え、雄部材１と雌部材２を互いに押し合うように持つ。
【００５２】
指当部１２、指当部２２及び指当部５２は、角を角面や丸面等に面取りして、指先が引っ掛かるように突起や凹凸が形成されている。このため、使用者は、指を滑らすことなく、親指で雄部材１を右方向に押し込み、人差し指で雌部材２を左方向に押し込む、押し込み動作ができる。使用者は、親指で雄部材１を右方向に押し込み、人差し指で雌部材２を左方向に押し込む動作のみで、図７（ｂ）に示すように、係合部３０と被係合部７０とを被係合状態にすることができる。係合部３０は、縁を角面や丸面等に面取りされているため、一対の挟持板６０は係合部３０から容易に解除でき被係合状態にできる。
【００５３】
結合状態において、被挟持板２０の両端と厚肉部２１の両端は、挟持板６０の両端からはみ出した状態になっている。このため、使用者は、はみ出した被挟持板２０の両端と厚肉部２１の両端を導入部８０側に押し込む動作をするだけで、容易に係合部３０と被係合部７０とを被係合状態にすることができる。係合部３０と被係合部７０とが被係合状態となった状態で、さらに雄部材１を右方向に押し込み、雌部材２を左方向に押し込むことで、図７（ｃ）に示すように、雄部材１と雌部材２とが仮止状態となる。本例の場合、結合された結合状態の雄部材１及び雌部材２を仮止状態にしても、雄部材１に取り付けられたベルトが腕に巻き付いた状態で、雌部材２に取り付けられた時計に取り付けられた状態を維持しているため、腕時計が腕から落ちない。
【００５４】
仮止状態の雄部材１と雌部材２とは、スライド移動するだけで、容易に分離状態となる。つまり、雄部材１と雌部材２とが仮止状態となった状態で、さらに雄部材１を右方向に押し込み、雌部材２を左方向に押し込むことで、図７（ｄ）に示すように、雄部材１と雌部材２とが離れる。そして、さらに雄部材１を右方向に押し込み、雌部材２を左方向に押し込むことで、図７（ｅ）に示すように、雄部材１と雌部材２とが分離された分離状態となる。
【００５５】
〔第二実施形態〕
本発明の第二実施形態を図面に基づいて説明する。図９は、第二実施形態の留具ＢＫ２である雄部材１０１と雌部材１０２を示す断面図（ａ）、雌部材２の挟持板６０を弾性変形して前側と後側に広げた状態を示す断面図（ｂ）である。第二実施形態では、前述した第一実施形態と同一の部位には同一の符号を付与し詳細な説明を省略する。
【００５６】
第一実施形態の留具ＢＫは、雌部材２の一対の挟持板６０を弾性変形させて前側と後側に広げられても、隙間６１の隙間寸法６１ｗは、厚肉部２１の肉厚２１ｗ以上には広がらない。このため、雄部材１と雌部材とは、仮止状態であれ、結合状態であれ、上下に引っ張っても抜けることがない。第二実施形態の留具ＢＫは、雌部材１０２の一対の挟持板１６０を弾性変形させて前側と後側に広げられたときに、隙間１６１の隙間寸法１６１ｗが、厚肉部１２１の肉厚１２１ｗ以上に広がるように形成されている（図９（ｂ）参照）。このため、雄部材１０１は、雌部材１０２の導入部８０から導入できるだけでなく、挟持端部１６４からも導入ができる。
【００５７】
図９（ａ）に示すように、係合部１３０は、被挟持板２０から突出するように形成された円筒形状の突起であり、上方向側から下方向側にかけて徐々に肉厚が厚くなるように形成されている。係合部１３０は上方向側から下方向側にかけて徐々に肉厚が厚くなるように形成されているので、雄部材１０１を挟持端部１６４から導入するときは、係合部１３０と被係合部１７０との係合が容易である。一方、係合部１３０と被係合部１７０とが係合状態ときに、雄部材１０１と雌部材１０２とは、上下に引っ張っても、係合部１３０の下方向側の肉厚が厚いため、被係合部１７０から外れにくい状態になっている。
【００５８】
以上、本発明の実施の形態の説明を行ったが、本発明は、この実施の形態に限定されることはなく、本発明の目的、趣旨を逸脱しない範囲内で変更ができる。雄部材１の雄本体１０には、ベルトが取り付けられ、雌部材２の雌本体５０には、腕時計に取り付けるためのバネ棒が取り付けられているが、他の部材を取り付けても良いことはいうまでもない。また、雄部材１は、ベルトを取り付けるために、ベルト取付部１１が形成されているが、雌部材２と同様にバネ棒を取り付けられるようにしても良い。さらに、雌部材２は、バネ棒を取り付けるために、バネ棒取付部５１が形成されているが、雄部材１と同様にベルトを取り付けられるようにしても良い。
【００５９】
雄部材１及び雌部材２は、ポリアセタール樹脂で形成されているが、他の部材、例えば、金属等で形成されても良い。また、雄部材１及び雌部材２をＡＢＳ樹脂で形成して、その表面に金属メッキを施して金属層を形成しても良い。このように構成することで、雄部材１及び雌部材２は、金属を用いた場合に比べて軽量化が可能であり、形状の自由度からデザイン性が高いうえに、金属特有の高級感が得られる。さらに、雄部材１及び雌部材２は、同一の材料で形成されても良いが、別々の材料で形成されても良い。例えば、雄部材１は硬質なポリアセタール樹脂で形成され、雌部材２は軟質で摩擦係数の大きい部材（例えば、シリコン）で形成されても良い。このように構成することで、雌部材２は、挟持板６０は弾性変形しやすく前側と後側に容易に拡げられると共に、雄部材１に対して滑りにくくなる。
【００６０】
本例において、係合部３０は被挟持板２０に形成され、被係合部７０は挟持板６０に形成されている。しかし、係合部３０は挟持板６０に形成され、被係合部７０は被挟持板２０に形成されても良い。本例において、留具ＢＫは、腕の形状に合うように曲面形状に形成されているが、他の形状に形成されても良い。例えば、留具ＢＫが、ズボン等の衣服等に使用されるベルトのバックルの場合には、曲面形状ではなく平面形状に形成されても良い。なお、留具ＢＫは、腕時計や腕時計のベルトの他に、ズボンのベルト、鞄、バック、靴、前立て留具等様々なものに使用できる。
【００６１】
本例において、被挟持板２０は上底が長く下底が短い左右対称の台形形状に形成され、挟持板６０は下端が円弧状であり底辺が長く高さが短い略二等辺三角形に形成されている。しかし、被挟持板２０と挟持板６０の形状は、挟持板６０の両端から被挟持板２０等の両端がはみ出すのであれば、どのような形状でも良い。厚肉部２１は、被挟持板２０の上方向側から延設されるように形成されているが、被挟持板２０の他の場所に形成されても良い。この場合、幅広部６２は、厚肉部２１の位置にあわせて挟持板６０に形成されると良い。
【符号の説明】
【００６２】
ＢＫ            ：留具
１              ：雄部材
２              ：雌部材
１０            ：雄本体
２０            ：被挟持板
３０            ：係合部
５０            ：雄本体
６０            ：挟持板
７０            ：被係合部
８０            ：導入部
【図１】
2020141791.tif 000003
【図２】
2020141791.tif 000004
【図３】
2020141791.tif 000005
【図４】
2020141791.tif 000006
【図５】
2020141791.tif 000007
【図６】
2020141791.tif 000008
【図７】
2020141791.tif 000009
【図８】
2020141791.tif 000010
【図９】
2020141791.tif 000011